(57)【要約】【課題】  空気圧源からの圧縮空気を空気圧駆動機器に供給する供給ラインから圧縮空気中の水分を分離排出する除湿エアシステムを、簡単且つコンパクトな構成で水分を大気中に放出可能なものとする。【解決手段】空気圧源１１と空気圧駆動機器１３との間の供給ライン１２に除湿チューブ１４が接続され、除湿チューブ１４が、その内外の水蒸気分圧に応じて水蒸気を内側から外側に透過する水蒸気透過性能を有する高分子透過膜材により、螺旋状に形成される。【選択図】図１
2010036156.tif 000002
【特許請求の範囲】
【請求項１】
空気圧源からの圧縮空気を供給ラインを通して除湿して空気圧駆動機器に供給する除湿エアシステムにおいて、
上記空気圧源と空気圧駆動機器との間の供給ラインに除湿チューブが接続されていて、該除湿チューブが、その内外の水蒸気分圧に応じて水蒸気を内側から外側に透過する水蒸気透過性能を有する高分子透過膜材により構成され、
上記除湿チューブが、螺旋状に形成されている、
ことを特徴とする除湿エアシステム。
【請求項２】
上記除湿チューブが、空気圧システムの配管用として用いる径を有している、
ことを特徴とする請求項１に記載の除湿エアシステム。
【発明の詳細な説明】
【技術分野】
【０００１】
本発明は、空気圧源と空気圧駆動機器とを連通させる供給ラインにおいて、圧縮空気から水分を分離して大気中に放出させるようにした除湿システムに関するものである。
【背景技術】
【０００２】
従来から、空気圧源と空気圧駆動機器とを連通させる圧縮空気の供給ラインに、ドレンキャッチ等と呼ばれる除湿装置を配設し、圧縮空気から分離された水分を除湿装置の貯留槽に溜めたうえで、貯留した水分が設定量に達するとバルブを開いて排水することは、周知の技術である。
しかしながら、上記除湿装置を通して圧縮空気から分離した水分を排水するには、供給ラインに上記貯留槽を持つ嵩高の除湿装置を接続する必要があるばかりでなく、貯留した排水の処理装置についても考慮する必要があり、それらを設置するための相当のスペースを必要とする。
【発明の開示】
【発明が解決しようとする課題】
【０００３】
本発明の技術的課題は、空気圧源からの圧縮空気を空気圧駆動機器に供給する供給ラインから圧縮空気中の水分を分離排出する除湿エアシステムを、簡単且つコンパクトな構成で大気中に放出可能なものとすることにある。
【課題を解決するための手段】
【０００４】
上記課題を解決するため、本発明によれば、空気圧源からの圧縮空気を供給ラインを通して除湿して空気圧駆動機器に供給する除湿エアシステムにおいて、上記空気圧源と空気圧駆動機器との間の供給ラインに除湿チューブが接続されていて、該除湿チューブが、その内外の水蒸気分圧に応じて水蒸気を内側から外側に透過する水蒸気透過性能を有する高分子透過膜材により構成され、上記除湿チューブは、螺旋状に形成されていることを特徴とするものである。
【０００５】
本発明に係る上記除湿エアシステムの好ましい実施形態においては、上記除湿チューブが、空気圧システムの配管用として用いる径を有するものとして構成される。
【発明の効果】
【０００６】
以述した本発明の除湿エアシステムによれば、空気圧源と空気圧駆動機器との間の供給ラインに接続する除湿チューブが、水蒸気をその内側から外側に透過する高分子透過膜材により螺旋状に形成されているので、全体的に長尺のチューブを簡単でコンパクトな構成のものとしながら、上記チューブの外側を流れる外気が、該チューブにより形成される螺旋の軸線方向に流れるものであっても、あるいは該軸線方向に対して直交する方向に流れるものであっても、チューブ全体の表面に沿って満遍なく流れることになり、チューブを外側に向けて透過した水分を効果的に排除し、効率的な除湿を行うことができる。
【発明を実施するための最良の形態】
【０００７】
図１は、本発明に係る除湿エアシステムの実施例を示している。
この除湿エアシステムは、空気圧源１１からの圧縮空気を供給ライン１２を通して空気圧駆動機器１３に供給し、この圧縮空気で空気圧駆動機器１３を駆動するように構成されるもので、上記供給ライン１２には圧縮空気中の水分を除去する除湿チューブ１４が接続されている。上記除湿チューブ１４は、従来から圧縮空気の供給ライン１２中にエアフィルタ１６や減圧弁１５、あるいはミストセパレータと共に介装されているドレンキャッチ等に代わる除湿装置として用いるものである。
【０００８】
上記除湿チューブ１４は、その内外の水蒸気分圧に応じて水蒸気をその内側から外側に透過する水蒸気透過性能を有する高分子透過膜材により構成され、従って、除湿チューブ１４内の圧縮空気中の水蒸気は除湿チューブ１４の外側に透過して大気中に放出され、除湿チューブ１４内の圧縮空気がその温度変化等によってミストを発生させることがあっても、外気のレベルまで除湿される。
【０００９】
上記除湿チューブ１４は、図に示すように螺旋状に形成されたもので、該除湿チューブ１４の螺旋の径や軸方向長さは自由に決めることができ、それにより使い勝手の良いものとすることができる。該除湿チューブ１４は、その外側が大気に接触する状態で使用されるものであり、一般的にはその外側に常に空気の流れがあるので、除湿チューブ１４の外側に透過した水蒸気が直ちに大気中に効率良く放出される。
【００１０】
しかも、上記除湿チューブ１４は、螺旋状として全体的に長尺のチューブを簡単でコンパクトな構成のものとしながら、上記チューブの外側を流れる外気が、該チューブにより形成される螺旋の軸線方向に流れるものであっても、あるいは、該軸線方向に対して直交する方向に流れるものであっても、チューブ全体の表面に沿って満遍なく流れることになり、チューブを外側に向けて透過した水分を効果的に排除し、効率的な除湿を行うことができる。
【００１１】
上記除湿エアシステムに用いる除湿チューブ１４は、基本的には、一般の空気圧駆動機器を圧縮空気源に接続する配管用チューブに代わるものとして用いるものであり、そのため、該配管用チューブと同様な圧縮空気の送給機能を持つことが必要である。
具体的には、該除湿チューブ１４は、少なくとも、その一本により流し得る圧縮空気が小型の汎用空気圧駆動機器を駆動できる配管用としての径を有するものであり、中空糸膜のように、全体としての水分選択透過性を高めるために流量を犠牲にして細径の多数本を用いるようなものではなく、その両端間を流れる圧縮空気の圧力損失が無視できる内径及び長さを有することが望まれる。
【００１２】
例えば、ＪＩＳ規格においては、空気圧システムの配管用ポリウレタンに関し、最小径のものとして、呼び径２のものが〔外径×内径〕＝２×１．２ｍｍ、最大径のものとして、呼び径１２のものが〔外径×内径〕＝１２×８ｍｍとして規定されているが、かかる規定を参照して除湿チューブの径を決められる。
【００１３】
図においては、供給ライン１２の配管中に除湿チューブ１４の両端が管継手１５を介して接続され、供給ライン１２と空気圧駆動機器１３との間の配管にはエアフィルタ１６、減圧弁１７、切換弁１８が接続され、空気圧駆動機器１３の例としてエアシリンダが示されている。
しかしながら、ここに示したエアシリンダは、あくまでも空気圧駆動機器の一例であって、本発明の除湿エアシステムの適用は、そのエアシリンダに限るものではない。また、図示した４ポート切換弁１８も、空気圧駆動機器１３を制御できるものであればよく、図示の例に限るものではない。エアフィルタ１６、減圧弁１７についても、一例を示したものであって、エアフィルタ１６や減圧弁１７を省略する場合も考えられる。
【図面の簡単な説明】
【００１４】
【図１】本発明に係る空気圧駆動機器用の除湿システムの模式的構成図である。
【符号の説明】
【００１５】
１１    空気圧源  
１２    供給ライン
１３    空気圧駆動機器
１４    除湿チューブ
【図１】
2010036156.tif 000003